(57)【特許請求の範囲】
【請求項１】
左側面（１ｂ）および右側面（１ｃ）を有し、前記左側面の側に開口された左側面開口部（１２ｂ）および前記右側面の側に開口された右側面開口部（１２ｃ）並びに前記左側面開口部と前記右側面開口部との間にある前方開口部（１２ａ）を持つ吹出口（４）が形成されているケーシング本体（２）と、
前記吹出口（４）の開閉を行うとともに前記吹出口から吹き出される調和空気の風向きを上下に変更可能であって、前記吹出口の閉止時に前記前方開口部を覆うために設けられ、前記吹出口の開放時に調和空気の風向を上下に変更する本体部（６ａ，６Ａａ，６Ｂａ）と、前記吹出口の閉止時に前記左側面開口部を覆うため前記本体部の左端に設けられた左側面部（６ｂ，６Ａｂ，６Ｂｂ）と、前記吹出口の閉止時に前記右側面開口部を覆うため前記本体部の右端に設けられた右側面部（６ｃ，６Ａｃ，６Ｂｃ，６Ｃｃ）とを有する水平羽根（６，６Ａ，６Ｂ，６Ｃ）と、
前記本体部、前記左側面部および前記右側面部が前記吹出口の周囲に接しないように迫出させることが可能な迫出し機構（３１，３１Ａ）と
を備え、
前記水平羽根は、前記本体部が、平坦な上面（６ｉ，６Ａｉ，６Ｂｉ）を有し、前記上面が水平になる姿勢を取りうる、空気調和装置。
【請求項２】
前記左側面部は、左方向に調和空気を誘導するための左側スリット（１３）を持ち、
前記右側面部は、右方向に調和空気を誘導するための右側スリット（１４）を持つ、請求項１に記載の空気調和装置。
【請求項３】
前記水平羽根が前記吹出口を覆った状態で、前記左側スリットから左方向に調和空気を吹出し、前記右側スリットから右方向に調和空気を吹き出すように制御し得る制御部（２０，２０Ａ）をさらに備える、
請求項２に記載の空気調和装置。
【請求項４】
前記迫出し機構は、前後左右の４方向に調和空気を導くことができる状態に前記本体部、前記左側面部および前記右側面部を迫出させ得る、
請求項１から３のいずれか一項に記載の空気調和装置。
【請求項５】
前記迫出し機構（３１Ａ）は、前記本体部を左または右に傾け得る、
請求項１から４のいずれか一項に記載の空気調和装置。
【請求項６】
前記水平羽根が前記吹出口を覆った状態で前記水平羽根に覆われる空間側に設けられ、前記吹出口から吹き出される調和空気を左右方向のうちの少なくとも一方に導くガイド（６０）をさらに備える、
請求項１から５のいずれか一項に記載の空気調和装置。
【発明の詳細な説明】
【技術分野】
【０００１】
本発明は、空気調和装置に関し、特に調和空気の吹き出し方向を変更するための水平羽根を備える空気調和装置に関する。
【背景技術】
【０００２】
空気調和装置の壁掛け型室内機は、ケーシング本体内に、室内側熱交換器を備えている。壁掛け型室内機は、クロスフローファンなどの送風ファンにより室内空気をケーシング本体内に室内空気を吸い込み、吸込んだ室内空気を室内側熱交換器に通して空気調和を行い、調和空気を吹出口からケーシング本体外に吹き出している。吹出口から吹き出される調和空気の風向を制御するために、壁掛け型室内機には、左右方向の風向を調節する垂直羽根と上下方向の風向を調節する水平羽根が設けられるのが一般的である。
【０００３】
従来の壁掛け型室内機の吹出口は、一般に室内機前面または室内機底面に設けられる。室内のインテリアとの調和のために室内機の外観を重視する場合、室内機の停止時には水平羽根によって吹出口が塞がれ、室内機の運転時には水平羽根によって上下方向の風向が調節されるような構造を採用することがある。そのため、水平羽根は、吹出口と同じ長さ、すなわちケーシング本体の長手方向の長さよりも短いものである。
【０００４】
このように室内機前面や室内機底面に吹出口が設けられている場合には、室内機の奥行きがあるために、壁掛け型室内機が取り付けられている壁面に近いゾーンには調和空気を送り届けることが難しくなる。吹出口から吹き出される調和空気の風向が壁面に対して所定の角度を持つため、この傾向は室内機からの距離が遠くなればなるほど顕著になる。
【０００５】
そこで、例えば特許文献１（特開２００６−２９８４号公報）では、水平羽根を閉じた状態で水平羽根とケーシング本体の左右側面に開口ができるように構成して、これらの開口から左右に吹き出される風の流れを形成することが提案されている。
【発明の概要】
【発明が解決しようとする課題】
【０００６】
しかし、左右方向への空気の流れを制限したいときに、垂直羽根でしか制御できないため、左右側面に開口がある分だけ、従来よりも左右方向への空気の流れの制限が難しくなる。
【０００７】
本発明の課題は、左右方向も含めて風向制御のバリエーションを豊富にすることができる水平羽根を備える空気調和装置を提供することにある。
【課題を解決するための手段】
【０００８】
第１発明に係る空気調和装置は、ケーシング本体と水平羽根と迫出し機構とを備える。ケーシング本体は、左側面および右側面を有し、左側面の側に開口された左側面開口部および右側面の側に開口された右側面開口部並びに左側面開口部と右側面開口部との間にある前方開口部を持つ吹出口が形成されている。また、水平羽根は、吹出口の開閉を行うとともに吹出口から吹き出される調和空気の風向きを上下に変更することが可能であって、吹出口の閉止時に前方開口部を覆うために設けられ、吹出口の開放時に調和空気の風向を上下に変更する本体部と、吹出口の閉止時に左側面開口部を覆うため本体部の左端に設けられた左側面部と、吹出口の閉止時に右側面開口部を覆うため本体部の右端に設けられた右側面部とを有している。迫出し機構は、本体部、左側面部および右側面部が吹出口の周囲に接しないように迫出させることが可能である。
【０００９】
本発明によれば、水平羽根に当たった調和空気を左側面部および右側面部で前後方向に誘導し易くなるため、水平羽根の全体が平坦な場合に比べて前方における調和空気の制御に有利になる。
【００１０】
また、本体部は、平坦な上面を有し、上面が水平になる姿勢を取りうる。
【００１１】
それにより、冷房運転時などに、左側面部および右側面部を有する水平羽根の平坦な本体部の上面を水平な姿勢にすることで、調和空気を比較的遠くまで届かせることができ、部屋全体の空気調和が容易になる。
【００１２】
さらに、迫出し機構によって水平羽根が迫出すことにより、吹出口の周囲と水平羽根との距離の調節が多様化し、風向や風速などの制御のバリエーションが増える。
【００１３】
第２発明に係る空気調和装置は、第１発明の空気調和装置において、左側面部は、左方向に調和空気を誘導するための左側スリットを持ち、右側面部は、右方向に調和空気を誘導するための右側スリットを持つ。
【００１４】
本発明によれば、左側スリットおよび右側スリットを通して左右方向に調和空気を誘導でき、左右方向への調和空気の流れをつくり易くなる。
【００１５】
第３発明に係る空気調和装置は、第２発明の空気調和装置において、水平羽根が吹出口を覆った状態で、左側スリットから左方向に調和空気を吹出し、右側スリットから右方向に調和空気を吹き出すように制御し得る制御部をさらに備えている。
【００１６】
本発明によれば、制御部により水平羽根が吹出口を覆った状態で調和空気を吹き出させるように制御することで、前方に調和空気を吹き出させず、左右にだけ調和空気を吹き出させることができる。
【００１７】
第４発明に係る空気調和装置は、第１発明から第３発明のいずれかの空気調和装置において、迫出し機構は、前後左右の４方向に調和空気を導くことができる状態に本体部、左側面部および右側面部を迫出させ得る。
【００１８】
本発明によれば、迫出し機構は、前後左右の４方向に調和空気を導くことができる状態に本体部、左側面部および右側面部を迫出させたところから、例えば先端部を少し下に傾けるなど微調整をすることにより、調和空気が周囲に分散する状態に近い状態を作り出せるので、調和空気の流れを人が感じ難い静粛性の高い状態で空気調和を行うことができる。
【００１９】
第５発明に係る空気調和装置は、第１発明から第４発明のいずれかの空気調和装置において、迫出し機構は、本体部を左または右に傾け得る。
【００２０】
本発明によれば、水平羽根を迫出し機構により左または右に傾けた方へ強く調和空気を吹き出せるので、また、傾けた方とは逆の方に吹き出すときには調和空気の気流を弱めることができるので、気流のバリエーションを増やすことができ、室内の状況に合わせた空気調和を行うことができる。
【００２１】
第６発明に係る空気調和装置は、第１発明から第５発明のいずれかの空気調和装置において、水平羽根が吹出口を覆った状態で水平羽根に覆われる空間側に設けられ、水平羽根の左側スリットおよび右側スリットに調和空気を導く位置に配置されている左側ガイドおよび右側ガイドをさらに備える。
【００２２】
本発明によれば、左側ガイドおよび右側ガイドを通すことにより、調和空気の左右方向への吹き出しを効率よく行わせることができる。また、水平羽根の左側面部および右側面部で左側ガイドおよび右側ガイド覆ってしまえるため、運転停止時などにおいては外観に表れないことから、洗練された外観を得ることができる。
【発明の効果】
【００２３】
第１発明の空気調和装置によれば、左右方向への調和空気の気流調節が可能である一方、前方への吹出しが容易で、室内の状況や環境状態に適した気流を生じさせ易くなり、快適な空気調和が実現し易くなる。
【００２４】
また、左側面部および右側面部を有する水平羽根の平坦な本体部に水平な姿勢を取らせて比較的遠くまで調和空気を届かせ易くなり、比較的広い室内に適した空気調和が行い易くなる。
【００２５】
さらに、迫出し機構によって風向や風速などの制御のバリエーションが増えて快適な空気調和が実現し易くなる。
【００２６】
第２発明の空気調和装置によれば、左側スリットおよび右側スリットによって左右方向への調和空気の流れをつくり易くなるので、室内機が取り付けられている壁に沿った領域の空気調和を行い易くなる。
【００２７】
第３発明の空気調和装置によれば、制御部によって前方方向には調和空気を吹き出させず左右方向に調和空気を吹き出させることができるので、左右方向を強く空気調和したい場合に対応することができる。
【００２８】
第４発明の空気調和装置によれば、静粛性の高い状態で空気調和を行うことができ、所望の空気調和状態に近い状態になった状況において、空気調和の快適性を向上させることができる。
【００２９】
第５発明の空気調和装置によれば、迫出し機構による本体部の左右への傾きによって、左右へ吹き出す調和空気の気流の微調整ができ、さらに調和空気の調整のバリエーションを増やすことができる。
【００３０】
第６発明の空気調和装置によれば、左側ガイドおよび右側ガイドを水平羽根によって覆うことができ、停止時の室内機の外観の審美性を低下させることなく、左側ガイドおよび右側ガイドによって左右方向の空気調和の性能を向上させることができる。
【図面の簡単な説明】
【００３１】
【図１】第１実施形態の室内機の正面図。
【図２】第１実施形態の室内機の底面図。
【図３】第１実施形態の室内機の側面図。
【図４】第１実施形態の室内機の斜視図。
【図５】第１実施形態の室内機の水平羽根を取外した状態を示す斜視図。
【図６】（ａ）第１実施形態の水平羽根の正面図。（ｂ）第１実施形態の水平羽根の底面図。（ｃ）第１実施形態の水平羽根の右側面図。
【図７】（ａ）第１実施形態の水平羽根の斜視図。（ｂ）第１実施形態の水平羽根の右側面部近傍部分を拡大した斜視図。
【図８】第１実施形態の制御部の構成を説明するためのブロック図。
【図９】第１実施形態の室内機の右底面近傍の部分拡大図。
【図１０】（ａ）第１実施形態の冷房運転時の室内機の正面図。（ｂ）第１実施形態の冷房運転時の室内機の底面図。
【図１１】（ａ）第１実施形態の冷房運転時の室内機の側面図。（ｂ）第１実施形態の冷房運転時の室内機の斜視図。
【図１２】（ａ）第１実施形態の暖房運転時の室内機の正面図。（ｂ）第１実施形態の暖房運転時の室内機の底面図。
【図１３】（ａ）第１実施形態の暖房運転時の室内機の側面図。（ｂ）第１実施形態の暖房運転時の室内機の斜視図。
【図１４】（ａ）第１実施形態の無感気流モード時の室内機の正面図。（ｂ）第１実施形態の無感気流モード時の室内機の底面図。
【図１５】（ａ）第１実施形態の無感気流モード時の室内機の側面図。（ｂ）第１実施形態の無感気流モード時の室内機の斜視図。
【図１６】第２実施形態に係る室内機の斜視図。
【図１７】第２実施形態の制御部の構成を説明するためのブロック図。
【図１８】第２実施形態の無感気流モード時の室内機の正面図。
【図１９】第２実施形態の無感気流モード時の室内機の斜視図。
【図２０】第２実施形態の暖房運転時の室内機の正面図。
【図２１】第２実施形態の暖房運転時の室内機の斜視図。
【図２２】（ａ）変形例に係る水平羽根の正面図。（ｂ）変形例に係る水平羽根の底面図。
【図２３】変形例に係る水平羽根の部分拡大斜視図。
【図２４】（ａ）変形例に係るガイドを説明するための部分拡大斜視図。（ｂ）変形例に係るガイドを説明するための部分拡大斜視図。
【図２５】（ａ）変形例に係る室内機の水平羽根が閉じている状態を示す側面図。（ｂ）変形例に係る室内機の水平羽根が開放されている状態を示す側面図。
【発明を実施するための形態】
【００３２】
＜第１実施形態＞
＜空気調和装置の構成の概要＞
この発明の第１実施形態に係る空気調和装置は、室内の壁面に取り付けられる壁掛け型の室内機と、室外に設置される室外機とを備えている。室内機と室外機とは、冷媒配管、加湿ホース、伝送線及び通信線などを集合した集合連絡管によって接続される。空気調和装置は、熱交換を行って室内の空気調和を行うために、例えば、室内機の室内側熱交換器（冷房時は蒸発器／暖房時は凝縮器として機能する）及び、室外機の圧縮機と室外側熱交換器（冷房時は凝縮器／暖房時は蒸発器として機能する）と膨張弁などが、集合連絡管の中を通る冷媒配管で連結されて構成されている冷媒回路を備えている。また、空気調和装置を制御するために、リモートコントローラなどの制御端末から指令を受けて室内機のファンモータなどの室内側機器を制御するための電装品箱が室内機に設けられ、室外機のファンモータなどの室外側機器を制御するための電装品箱が室外機に設けられている。そして、室内機の電装品箱と室外機の電装品箱とが集合連絡管の中を通る伝送線で接続されている。
【００３３】
＜空気調和装置の室内機の構成＞
（室内機の概観）
図１は、本発明の一実施形態に係る空気調和装置の室内機の正面図であり、図２は室内機の底面図であり、図３は室内機の右側面図であり、図４は右斜め下から見た室内機を示す斜視図である。室内機１は、ケーシング本体２の前面１ａ、左側面１ｂ、右側面１ｃ、天面１ｄおよび底面１ｅすなわち背面１ｆを除く５つの面が化粧パネル５で覆われている。なお、以下の説明において、室内機１の背面１ｆから前面１ａ（正面）に向かう方向を前方といい、室内機１の左側面１ｂおよび右側面１ｃを結ぶ方向すなわち吹出口４の長手方向に沿う方向を左右方向という。
【００３４】
この室内機１は、ケーシング本体２の天面１ｄに吸込口３を備え、底面１ｅに吹出口４を備えている。図１には、吹出口４に設けられている水平羽根６が閉じられた状態が示されている。通常は運転停止時に吹出口４を閉じ、運転時に吹出口４を開放するのであるが、図１の室内機１は水平羽根６で吹出口４を塞いだ状態でも左右方向に調和空気を吹き出すことができる構成となっている。このような室内機１の動作の詳細については後述する。なお、以下の説明において、『水平羽根６が吹出口４を塞ぐ』という表現は吹出口４と水平羽根６の間に調和空気を吹き出す隙間がない状態を説明する場合に用い、水平羽根６が吹出口４を覆うという言い回しは閉じる動作に説明の重点を置いて調和空気を吹き出す隙間がある場合もない場合も許容する表現として用いる。
【００３５】
図１に示す室内機１では、前面１ａから室内空気の吸い込みは行われず、室内機１はもっぱらケーシング本体２の天面１ｄの吸込口３から室内空気の吸い込みを行っている。そのため、室内機１の内部における室内空気の移動は、室内機１の天面１ｄの側から室内機１の底面１ｅの側に向けて行われる。このような室内機１のケーシング本体２の内部には、図３に示すように、側面視においてケーシング本体２の略中央の背面側寄りにクロスフローファン７が設けられる。このクロスフローファン７の上流側には、側面視において、逆Ｖ字形状をした室内側熱交換器（図示省略）が配置され、クロスフローファン７に吸込まれる前に室内側熱交換器を室内空気が通過することによって空気調和が行われる。また、室内側熱交換器の上流にはエアフィルタ（図示省略）が設けられており、クロスフローファン７に導かれる調和空気にエアフィルタの隙間より大きな埃は完全に取り除かれる。図示を省略するが、正面視においては、このクロスフローファン７は、吸込口３と同じ程度の長さを有し、ケーシング本体２の長手方向に沿って長く水平に配置されている。このようにケーシング本体２の長手方向に長く延びるクロスフローファン７により室内空気の吸い込みと調和空気の吹き出しとを行って効率良く室内の空気調和を実施させるため、室内側熱交換器もケーシング本体２の長手方向に長く延びる形状に形成され、長く延びる吸込口３と吹出口４との間に配置される。
【００３６】
クロスフローファン７と吹出口４との間には、図３に示すように、ディフューザー構造の吹出通路８が設けられる。吹出通路８の案内面８ａは、側面視において、クロスフローファン７の側に曲率中心を持つ滑らかな曲線を描いており、下方に向かうに従って曲率半径が大きくなる。また、クロスフローファン７が、右側面から見て、時計回りに回転して送風し、その中心軸が背面１ｆの方に寄って配置されているので、吹出通路８は、底面１ｅの前方側に向けて斜めに形成される。そのため、吹出通路８から吹出口４に向かう調和空気は、天面１ｄから底面１ｅの方に向く方向ベクトルと背面１ｆから前面１ａの方に向く方向ベクトルとを有し、乱れの少ない層流になる。
【００３７】
＜風向装置の構成＞
吹出口４の前方には、水平羽根６が設けられる。水平羽根６は、運転時に開く場合と、閉じたまま運転を行う場合の２つの状態を取り得る。室内機１は、この水平羽根６によって室内機１の上下方向の風向きを調節することができる。この室内機１では、暖房時および冷房時などにおいて吹出口４から前方へ送風する場合に水平羽根６が開き、吹出口４から左右にのみ送風する場合に水平羽根６が閉じる。図１には、吹出口４が水平羽根６で塞がれて閉じている状態が示されている。
【００３８】
図５は、左斜め下から見上げた室内機１を示す斜視図であり、吹出通路８の内部の構造を説明し易くするため、水平羽根６を取外した状態を示している。吹出通路８には、垂直羽根連結棒１０によって連結された複数枚の垂直羽根９が揺動可能に取り付けられている。これら複数の垂直羽根９の面９ａは、ケーシング本体２の長手方向に対して垂直な状態を中心にして左右に揺動する。これら垂直羽根９は、揺動することにより、あるいは揺動した後に任意の角度で止まることにより、左右方向における調和空気の吹出し方向を調整する。垂直羽根９は、２本の垂直羽根連結棒１０で連結されているため、左側面１ｂに近いグループＡと右側面１ｃに近いグループＢの２つのグループに分けることができる。揺動方向は、異なる垂直羽根連結棒１０に連結されているグループＡとグループＢで独立しており、例えばグループＡが右に傾いているときに、グループＢが左に傾くことがある。また、グループＡとグループＢにおいて、例えば同じ方向に傾いているときであっても傾く角度を異ならせることができる。当然、グループＡとグループＢに属する垂直羽根９を同じ向きに揺動させることもできる。
【００３９】
図５において、二点鎖線１１で示した位置は、底面１ｅと左側面１ｂおよび右側面１ｃの境界である稜線の延長線である。従来は、通常、二点鎖線１１のところで底面１ｅと化粧パネル５の左側面１ｂおよび右側面１ｃとが分かれていた。この二点鎖線１１の上の底面１ｅが窪んでいる部分は、左側に吹出すための開口部１２ｂおよび、右側に吹出すための開口部１２ｃになる。吹出口４は、これら開口部１２ｂ，１２ｃを含んでいる。吹出口４の底面１ｅの開口部１２ａは、これら開口部１２ｂ，１２ｃの間にある。このように、吹出口４が左側の開口部１２ｂおよび右側の開口部１２ｃを室内機１が持ち、水平羽根６の形状は、開口部１２ｂおよび開口部１２ｃを塞げるような構造となっている。
【００４０】
次に、水平羽根６の構造について説明する。図６（ａ）に水平羽根の正面、図６（ｂ）に水平羽根の底面、そして図６（ｃ）に水平羽根の右側面を示している。また、図７（ａ）には、水平羽根の斜視図が示され、図７（ｂ）には、右側面部を左斜め上から見た部分拡大図が示されている。水平羽根６は、本体部６ａ、本体部６ａの左端からさらに左に延びる左側面部６ｂ、および本体部６ａの右端からさらに右に延びる右側面部６ｃを備えている。水平羽根６は、閉じた状態で、左側面部６ｂが左側面１ｂの開口部１２ａを塞ぎ、右側面部６ｃが右側面１ｃの開口部１２ｂを塞ぐように構成されている。
【００４１】
水平羽根６の先端部６ｄおよび後端部６ｅは、本体部６ａにおいて、左側面部６ｂと右側面部６ｃとの間を真直ぐに略一直線に繋いでいる。左側面部６ｂの左側端部６ｆおよび右側面部６ｃの右側端部６ｇは、先端部６ｄから下に凸の放物線を描くように後端部６ｅへと続き、左側面部６ｂおよび右側面部６ｃの後端部は、本体部６ａの後端部６ｅから延びて左側端部６ｆおよび右側端部６ｇと繋がる。
【００４２】
図６（ｃ）を見ると、本体部６ａの底面６ｈは、側面視において、後端部６ｅから先端部６ｄにかけて、弓形に反り上がっている。水平羽根６の本体部６ａは、通常可動のアームなどによって２点または３点で支えられることから撓まないように剛性を高めるため、また水平羽根６での結露などの防止が必要なことから断熱性を持たせるため、所定の厚みを有している。そのため、先端部６ｄから稜線６ｊまでは、側面視の底面６ｈの形状に沿って徐々に厚みが増し、多少の凹凸はあるものの比較的平坦な上面６ｉが続き、稜線６ｊから後端部６ｅにかけて急激に厚みが減少する。この水平羽根６が吹出口４を塞いでいる状態で、本体部６ａの平坦な上面６ｉが水平に保たれる。
【００４３】
水平羽根６の左側面部６ｂおよび右側面部６ｃには、それぞれ左側スリット１３および右側スリット１４が形成されている。左側スリット１３は左上部スリット１３ａと左下部スリット１３ｂからなり、右側スリット１４は右上部スリット１４ａと右下部スリット１４ｂからなる。左下部スリット１３ｂは、斜面６ｋと斜面６ｍとの間に形成されている。斜面６ｋは、本体部６ａの左端部において、上面６ｉから斜めに底面６ｈの左端部近傍に達する斜面である。斜面６ｍは、左横吹誘導板１５の裏側に形成され、左側面部６ｂにおいて、後端上部６ｂ１と後端部６ｅとの中間の高さのところから先端部６ｄ近傍に向けて略水平に延びる。右下部スリット１４ｂは、斜面６ｌと斜面６ｎとの間に形成されている。斜面６ｌは、本体部６ａの右端部において、上面６ｉから斜めに底面６ｈの右端部近傍に達する斜面である。斜面６ｎは、左横吹誘導板１５の裏側に形成され、左側面部６ｂにおける後端上部６ｂ１および右側面部６ｃにおける後端上部６ｃ１と後端部６ｅとの中間の高さのところから先端部６ｄ近傍に向けて略水平に延びる。
【００４４】
そして、左下部スリット１３ｂと左上部スリット１３ａとの間に左横吹誘導板１５が形成され、右下部スリット１４ｂと右上部スリット１４ａとの間に右横吹誘導板１６が形成されている。左横吹誘導板１５および右横吹誘導板１６は、平面視において、斜面６ｋ,６ｌと一部が重なるが、大部分が重ならないように形成されている。また、左横吹誘導板１５および右横吹誘導板１６は、それぞれ左側面部６ｂおよび右側面部６ｃに向かって下方に傾斜している。そのため、吹出口４から斜面６ｋ，６ｌに向けて直接吹き付けられる調和空気は、斜面６ｋ，６ｌに沿って左右両端に向かって斜め下方に誘導され、左下部スリット１３ｂおよび右下部スリット１４ｂを通り抜けて、左側面部６ｂおよび右側面部６ｃから左右に斜め下方に向かって吹き出される。また、本体部６ａに沿って左右両端に向かう調和空気は、左横吹誘導板１５および右横吹誘導板１６よりも上面６ｉに近いものについては、左横吹誘導板１５および右横吹誘導板１６により上方へ逃げないように流れが制限されて左下部スリット１３ｂおよび右下部スリット１４ｂに誘導される。
【００４５】
左横吹誘導板１５および右横吹誘導板１６に上方から向かう空気は、左横吹誘導板１５および右横吹誘導板１６によって左右両端に向かって斜め下方に誘導され、左上部スリット１３ａおよび右上部スリット１４ａを通り抜けて、左側面部６ｂおよび右側面部６ｃから左右に斜め下方に向かって吹き出される。左上部スリット１３ａおよび右上部スリット１４ａの上部周辺には、水平羽根６より上方に向かう気流を抑制する補助板１７，１８が形成されている。
【００４６】
風向装置は、水平羽根６の開閉および開放時の角度を調整するため水平羽根６を駆動する迫出し機構を備えている。迫出し機構は、ケーシング本体２の長手方向の中央とその左右に、互いに平行に配置されている３本のアーム４０，４１，４２を含んでいる（図１０参照）。この３本のアーム４０，４１，４２は、ラックアンドピニオン機構（図示省略）によって前方に向かって斜め下方に伸びるように移動（迫出し）したり、それとは逆の方向に移動して収納されたりする。これらアーム４０，４１，４２は、移動量が同じになるようにラックアンドピニオン機構によって駆動されるため、アーム４０，４１，４２によって支持されている水平羽根６の動きは平行移動になる。アーム４０，４１，４２は、水平羽根６に駆動軸（図示省略）を介して同一の軸線上に取り付けられており、水平羽根６を駆動軸の軸線の回りに回転させることができる。風向装置は、ラックアンドピニオン機構によるアーム４０，４１，４２の迫出し量の調整と、駆動軸による水平羽根６の回転角度の調整とによって、水平羽根６の平行移動と回転移動を組み合わせることにより、水平羽根６に種々の姿勢を取らせることができる。例えば、平坦な水平羽根６の本体部６ａの上面６ｉが水平になる姿勢を、水平羽根６が取りうるものとなっている。
【００４７】
以上のように、空気調和装置の風向装置は、水平羽根６と垂直羽根９およびそれらを駆動するための迫出し機構および垂直羽根駆動部を備えている。垂直羽根駆動部は、垂直羽根９を駆動するため、上述の垂直羽根連結棒１０を有している。迫出し機構および垂直羽根駆動部の制御については後述する。
【００４８】
上述の水平羽根６と垂直羽根９の吹出し方向の調整および、クロスフローファン７の風速の調整により、室内の形態や室内の状況に対応した適切な空気調和を行うことができる。これら水平羽根６や垂直羽根９やクロスフローファン７の制御を行うために、図８に示すような制御部２０を備えている。制御部２０は、室内機１の各機器を制御するための室内制御部２１と、室外機の各機器を制御するための室外制御部２２とを備えており、室内制御部２１と室外制御部２２との間を信号線２３で接続して構成されている。
【００４９】
室外制御部２２には、圧縮機２４、室外電動膨張弁２５、四路切換弁２６、室外ファン２７、複数の圧力センサ２８および複数の温度センサ２９などが接続されている。室外制御部２２は、例えば圧縮機２４の回転数を制御することにより冷媒回路の冷媒循環量を制御し、室外電動膨張弁２５の開度を制御することにより冷媒回路を流れる冷媒の圧力を制御する。室外制御部２２は、四路切換弁２６を切り換えることにより、冷凍回路に流れる冷媒の循環経路の切換を行って暖房運転と冷房運転の切換などの運転切換の制御を行う。また、室外制御部２２は、室外ファン２７の回転数を制御することにより、室外熱交換器における熱交換効率の制御などを行う。そのため、冷媒回路や各機器に設置された複数の温度センサ２９や圧力センサ２８などによって検知された各部の温度や圧力を、室外制御部２２は、制御のための判断に用いている。
【００５０】
一方、室内制御部２１には、送受信部３０、迫出し機構３１、垂直羽根駆動部３２、クロスフローファン用モータ３３、複数の温度センサ３４および表示部３５などが接続されている。室内制御部２１は、制御のために、使用者のリモートコントローラなどと送受信部３０との間でデータの送受信を行っている。室内制御部２１は、室内の状態や使用者の設定に従って、迫出し機構３１、垂直羽根駆動部３２およびクロスフローファン用モータ３３の制御を行って、水平羽根６および垂直羽根９の角度や揺動の状態、およびクロスフローファン用モータ３３の回転数を調整し、調和空気の吹出し方向や吹き出す強さなどを変更することができる。室内制御部２１は、冷媒回路や各機器に設置された複数の温度センサ２９などによって検知された各部の温度などの状態情報を、制御のための判断に用いている。また、室内制御部２１は、表示部３５を介して、室内機１の設定状態や環境などを使用者に知らせる。
【００５１】
＜風向装置の動作＞
室内機１は、停止時には、図１〜図４を用いて説明したように、通常、水平羽根６を閉じた状態になる。それにより、室内機１の停止時に水平羽根６に埃や花粉などが積もるのを防止している。図６および図７に示したように、水平羽根６には左側スリット１３および右側スリット１４が形成されている。しかし、水平羽根６の左側面部６ｂおよび右側面部６ｃが、湾曲しているため、左側スリット１３および右側スリット１４は、室内機１の左側面１ｂおよび右側面１ｃではなく、むしろ室内機１の底面１ｅに位置している。また、斜面６ｋ，６ｌや左横吹誘導板１５および右横吹誘導板１６が斜め下方に向けて傾いているため、水平羽根６が閉じることで埃や花粉などが積もり難くい状態となる。
【００５２】
（左右吹き）
図９は、右下方の前方側から見上げた室内機の状態を示す部分拡大図である。図９は、水平羽根６を閉じた状態で、左右方向にのみ調和空気を吹き出している状態を示している。また、上述の図１から図４にもこの状態での調和空気の吹出し方向を矢印で示している。このとき制御部２０の室内制御部２１は、迫出し機構３１に対して、水平羽根６を閉じた状態にするように指示信号を出力する。そして、左右に吹出し易くするため、垂直羽根９のグループＡは左側へ、そしてグループＢは右側へ気流を変更するように傾けるように、室内制御部２１から垂直羽根駆動部３２に指示信号を出力する。それにより、例えば、図９に示すように、右側であれば、右上部スリット１４ａと右下部スリット１４ｂから室内機１の下方右方向Ｄ１，Ｄ２に向けて調和空気が吹き出される。例えば、右下部スリット１４ｂから吹き出される調和空気の方向Ｄ２は、斜面６ｍと右横吹誘導板１６の下面の角度で規制されるため、この角度をどのように形成するかによって、方向Ｄ２を設定することができる。
【００５３】
ここでは、右横吹誘導板１６が固定されている場合について説明しているが、この右横吹誘導板１６の下面の角度を変更で切るように構成することもでき、その場合には手動でまたは自動で方向Ｄ２を状況に応じて変更できるものになる。方向Ｄ１についても方向Ｄ２と同様に右横吹誘導板１６の上面の角度によって設定することができる。なお、吹き出される調和空気を吹出す強さは、クロスフローファン７の回転数を適当な値に設定することにより調整され、その調整のための指示信号が室内制御部２１からクロスフローファン用モータ３３に出力される。
【００５４】
（冷房運転時の吹出し）
図１０（ａ）には、冷房運転時の室内機の正面図を示し、図１０（ｂ）には、冷房運転時の室内機の底面図を示している。また、図１１（ａ）には、冷房運転時の室内機の側面図を示し、図１１（ｂ）には、冷房運転時の室内機の斜視図を示している。冷房運転時には、水平羽根６の先端部６ｄが後端部６ｅよりも下がり、水平羽根６の上面６ｉが水平に対して例えば３０度程度傾斜している。中央のアーム４０と左右のアーム４１，４２によって吊られている水平羽根６を図１０および図１１に示す状態にするには、アーム４０，４１，４２を延ばすことにより水平羽根６を迫出させる動作と、アーム４０の先端にある駆動軸４３によりアーム４０に対する水平羽根６の角度を変化させる動作とを行うことが必要になる。図１０および図１１に示す角度に水平羽根６が開放されている状態で、吹出口４から調和空気が吹き出されると、水平羽根６の先端部６ｄと室内機１の底面１ｅとの間から前方に向かう調和空気の気流が形成される。この気流によって調和空気は、室内機１が取り付けられる室内の壁とは反対側の壁に向かって運ばれる。
【００５５】
このとき、例えば垂直羽根９をケーシング本体２の長手方向に対して垂直に固定すると、水平羽根６の左右両端の左側スリット１３および右側スリット１４には、吹出口４から吹き出された調和空気が案内されない。このように垂直羽根９を略垂直に固定すると、ほぼ全ての調和空気は真直ぐ前方に流れる。このときの気流の向きが図１０（ａ）の矢印で示されている。この場合、左側面部６ｂおよび右側面部６ｃがあることにより、前方への流れがスムーズになる。一方、垂直羽根９を左右に傾け、かつ左右両端の左側スリット１３および右側スリット１４には調和空気が達しない角度に垂直羽根９を調節することができる。この場合には、水平羽根６によって前方に向かって流れる調和空気が扇型に広がる。このときの気流の向きが図１１（ｂ）の矢印で示されている。さらに、垂直羽根９を左右に傾けて、左右両端の左側スリット１３および右側スリット１４に調和空気が達する角度にすることができる。この場合には、水平羽根６によって前方に向かって流れる調和空気が扇型に広がるだけでなく、左側スリット１３を通過した調和空気は、左横吹誘導板１５および右横吹誘導板１６や斜面６ｋ，６ｌに沿って左右方向に流れる。このときの気流の向きが図１０（ｂ）の矢印で示されている。この場合には、左横吹誘導板１５および右横吹誘導板１６と斜面６ｋ，６ｌが水平羽根６の上面６ｉに対して角度をつけることのよって、気流に、やや後方に向かう方向ベクトルを持たせることができる。その様な設定にすると、室内機１の奥行きがあるために垂直羽根９だけでは誘導することが難しい、室内機１の真横の壁面に沿ったゾーンに調和空気を吹き出させることができる。なお、右横吹誘導板１６に角度を持たせず、真横に吹き出させるように構成することもできる。
【００５６】
また、水平羽根６の角度を変化させることによって左右方向に向かう気流の強さを変化させるように構成することもできる。例えば、水平羽根６の上面６ｉが、吹出口４から吹き出される層流の向きに対して垂直になる方向に近づければ近づけるほど、気流の前方に向かう強さが弱まる一方、左右方向へ向かう気流の強さが増す。
【００５７】
（暖房運転時の吹出し）
図１２（ａ）には、暖房運転時の室内機の正面図を示し、図１２（ｂ）には、暖房運転時の室内機の底面図を示している。また、図１３（ａ）には、暖房運転時の室内機の側面図を示し、図１３（ｂ）には、暖房運転時の室内機の斜視図を示している。暖房運転時には、水平羽根６の後端部６ｅが先端部６ｄよりも下にあって、水平羽根６の上面６ｉがほぼ垂直な状態になる。図１２および図１３に示す状態は、上面６ｉがほぼ垂直な状態よりも後端部６ｅが前方に出て、上面６ｉがやや下方に向いている。中央のアーム４０と左右のアーム４１，４２によって吊られている水平羽根６を図１２および図１３に示す状態にするには、上述の冷房運転と同様に、アーム４０，４１，４２により水平羽根６を迫出させ、アーム４０の先端にある駆動軸４３により水平羽根６を垂直に立った状態に変化させる。図１２および図１３に示す角度に水平羽根６が開放されている状態で、吹出口４から調和空気が吹き出されると、水平羽根６に遮られて調和空気は下方に向かって流れる。
【００５８】
このとき、垂直羽根９をケーシング本体２の長手方向に対して垂直に固定すると、水平羽根６の左右両端の左側スリット１３および右側スリット１４には、吹出口４から吹き出された調和空気は案内されず、ほぼ全ての調和空気は真直ぐ下方に流れる。このとき、左側面部６ｂおよび右側面部６ｃがあることにより、下方への流れがスムーズになる。一方、垂直羽根９を左右に傾けて、左右両端の左側スリット１３および右側スリット１４には調和空気が達しない角度にして、水平羽根６によって下方に向かって流れる調和空気を扇型に広げることができる。このときの気流の向きが図１３（ｂ）の矢印で示されている。さらに、垂直羽根９を左右に傾けて、左右両端の左側スリット１３および右側スリット１４に調和空気が達する角度にすることができる。この場合には、水平羽根６によって前方に向かって流れる調和空気が扇型に広がるだけでなく、左側スリット１３を通過した調和空気は、左横吹誘導板１５および右横吹誘導板１６や斜面６ｋ，６ｌに沿って左右方向に流れる。このとき、左横吹誘導板１５および右横吹誘導板１６と斜面６ｋ，６ｌが水平羽根６の上面６ｉに対して角度を持っているため、気流に、やや前方に向かう方向ベクトルを持たせることができる。それにより、水平羽根６で遮っただけでは誘導することが難しい、室内機１の左右側方の下方でやや前方に向かうゾーンに調和空気を吹き出させることができる。このときの気流の向きが図１２（ａ）および図１２（ｂ）に示されている。なお、図１２（ｂ）において真下に向かう気流の記載は省略している。暖房運転時において、水平羽根６の角度を変化させることもできる。例えば、水平羽根６の上面６ｉが、吹出口４から吹き出される層流の向きに対して垂直になる方向に近づければ近づけるほど、気流の前方に向かう強さが弱まる一方、左右方向へ向かう気流の強さが増す。
【００５９】
（無感気流モード時の吹出し）
以下の説明において、人体が気流を感じ難いように気流を非常に弱くする調和空気の吹出しモードを無感気流モードという。図１４（ａ）には、無感気流モード時の室内機の正面図を示し、図１４（ｂ）には、無感気流モード時の室内機の底面図を示している。また、図１５（ａ）には、無感気流モード時の室内機の側面図を示し、図１５（ｂ）には、無感気流モード時の室内機の斜視図を示している。無感気流モード時には、水平羽根６の先端部６ｄが後端部６ｅよりもやや上がり、水平羽根６の上面６ｉが吹出口４に対向する状態になっている。つまり、無感気流モードでの水平羽根６の姿勢は、水平羽根６が吹出口４を閉じている姿勢に対して概ね平行である。中央のアーム４０と左右のアーム４１，４２によって吊られている水平羽根６を図１４および図１５に示す状態にするには、アーム４０，４１，４２により水平羽根６を所定量だけ迫出させ、アーム４０の先端にある駆動軸４３（図１１（ｂ）参照）により水平羽根６の後端部６ｅを少し下げた状態に変化させる。つまり、室内機１は、水平羽根６を迫出させて、吹出口４から吹き出される気流に対して水平羽根６が直交する状態で吹出口４を開放することができる。水平羽根６が吹出口４から吹き出される気流に対して直交する角度に保たれると、調和空気は水平羽根６に当たって前方と左右方向だけでなく後方にも流れ、すなわち４方向に吹出し可能な状態となる。
【００６０】
図１４および図１５に示す状態は、吹出口４から吹き出される層流の吹出し方向に対して上面６ｉが垂直になる状態よりもやや先端部６ｄが下がった状態である。この状態では、水平羽根６に当たって気流は弱められるが、調和空気の後方への流れは、ほとんど存在しないといえる状態か、あるいは極めて弱い状態である。図１４および図１５には後方に発生した極めて弱い気流が前方や左右方向に向いた矢印よりも小さな矢印で示されている。また、このとき、クロスフローファン７の回転数も下げて、吹出口４から吹き出させる風量を下げる。それにより、吹き出される調和空気の風量が少なくなって風速が弱くなるのに加え、水平羽根６に調和空気を当てて風速を減少させることで人に空気の流れを感じ難くさせている。この状態で、アーム４０，４１，４２の迫出し量を調整して吹出口４の周囲と水平羽根６との間隔を変えることにより、調和空気の流れを調整することもできる。
【００６１】
この場合に、垂直羽根９によって左右に流れる気流を制御できるのは冷房運転や暖房運転のときと同様である。左右に流れた調和空気は、左横吹誘導板１５と右横吹誘導板１６に沿って流れるので、左横吹誘導板１５と右横吹誘導板１６で規定した所望の角度で左右に吹き出される。
【００６２】
＜第２実施形態＞
第２実施形態に係る空気調和装置の概要は、上述した第１実施形態の空気調和装置と同様である。第２実施形態に係る空気調和装置の室内機は、第１実施形態の室内機と異なる空気調和装置の風向装置を備えている。第２実施形態の風向装置が第１実施形態の風向装置と異なる点は、迫出し機構の構成である。図１６は、第２実施形態の室内機１Ａを右斜め下から見た斜視図である。化粧パネル５は、第１実施形態と第２実施形態で同じであって、吹出口４が底面１ｅの開口部１２ａと、その左右に設けられた開口部１２ｂ，１２ｃを有している。そのため、水平羽根６Ａが本体部６Ａａと左側面部６Ａｂと右側面部６Ａｃとを有している。
【００６３】
＜風向装置の構成＞
この水平羽根６Ａを駆動するための迫出し機構は、図１６に示すように、水平羽根６Ａを支持しつつ平行に移動させるための左支持アーム５１および右支持アーム５２を備えている。左支持アーム５１および右支持アーム５２は、ラックアンドピニオン機構（図示省略）によって前方に向かって斜め下方に伸びるように移動（迫出し）したり、それとは逆の方向に移動して収納されたりする。これら左支持アーム５１および右支持アーム５２は、水平羽根６Ａと連結される連結部５１ａが軸支されるのではなく、ボールジョイント（図示省略）で水平羽根６Ａに連結されるため、水平羽根６Ａを支持した状態での水平羽根６Ａの前後への回動だけでなく、水平羽根６Ａの左右の傾動にも対応できる。
【００６４】
また、迫出し機構は、回動アーム５０ａと揺動アーム５０ｂを含む回動機構を備えている。回動アーム５０ａは、ケーシング本体２に連結される一端側が駆動軸（図示省略）により軸支されており、駆動軸の周りに回動可能である。回動アーム５０ａの他方端側と揺動アーム５０ｂの一端側とは可動軸５０ｃにより連結されており、揺動アーム５０ｂは、可動軸５０ｃの周りで揺動可能である。また、揺動アーム５０ｂの他方端側がボールジョイントの連結部５０ｄにより水平羽根６Ａに支持されており、揺動アーム５０ｂは、連結部５０ｄの周りに揺動可能である。連結部５０ｄにより水平羽根６Ａが連結されている位置は、左支持アーム５１および右支持アーム５２を連結している連結部５１ａ、５２ａを結ぶ軸が先端部６Ａｄの近傍であるのに対し、後端部６Ａｅの近傍である。左支持アーム５１および右支持アーム５２の連結部５１ａ，５２ａを結ぶ軸と揺動アーム５０ｂの連結部５０ｄの位置が水平羽根６Ａの前後方向にずれているため、回動アーム５０ａを回動させることによって水平羽根６Ａを回動させることができる。また、揺動アーム５０ｂが揺動することにより、回動アーム５０ａの一端側の駆動軸と揺動アーム５０ｂの連結部５０ｄとの距離を変化させることができるため、支持アーム５１，５２の移動に対して回動アーム５０ａの回動を追随させることにより水平羽根６Ａを平行に移動させることも可能になっている。それにより、例えば、本体部６Ａａの平坦な上面６Ａｉが水平になる姿勢を、水平羽根６Ａが取りうるものとなっている。
【００６５】
以上のように、空気調和装置の風向装置は、水平羽根６Ａと垂直羽根９およびそれらを駆動するための迫出し機構および垂直羽根駆動部を備えている。迫出し機構および垂直羽根駆動部の制御については後述する。垂直羽根駆動部は、垂直羽根９を駆動するため、上述の垂直羽根連結棒１０を有している。上述の水平羽根６Ａと垂直羽根９の吹出し方向の調整により、またクロスフローファン７の風速の調整により、室内の形態や室内の状況に対応した適切な空気調和のための調和空気の気流を発生する。これら水平羽根６Ａや垂直羽根９やクロスフローファン７の制御を行うために、図１７に示すような制御部２０Ａを備えている。制御部２０Ａは、室内機１の各機器を制御するための室内制御部２１Ａと、室外機の各機器を制御するための室外制御部２２とを備えており、室内制御部２１Ａと室外制御部２２との間を信号線２３で接続して構成されている。第１実施形態の制御部２０と第２実施形態の制御部２０Ａの異なる点は、室内制御部２１と室内制御部２１Ａの違いだけであるため、以下室内制御部２１Ａについて説明し、室外制御部２２については説明を省く。また、送受信部３０、クロスフローファン用モータ３３、温度センサ２９および表示部３５などと室内制御部２１Ａとの関係は、室内制御部２１の場合と同じであるので、説明を省略する。
【００６６】
室内制御部２１Ａには、送受信部３０、迫出し機構３１Ａ、垂直羽根駆動部３２、クロスフローファン用モータ３３、温度センサ３４および表示部３５などが接続されている。室内制御部２１Ａが制御する迫出し機構３１Ａは、水平羽根６Ａを左または右に傾けるようにするため、左支持アーム駆動部３６と右支持アーム駆動部３７とを備えている。そして、室内制御部２１Ａは、左支持アーム駆動部３６と右支持アーム駆動部３７とを独立して駆動させることができる。室内制御部２１Ａは、水平羽根６Ａを平行移動させるときには、左支持アーム５１の移動量と右支持アーム５２の移動量とが同じになるように制御し、水平羽根６Ａを左右のいずれかに傾けるときには、左支持アーム５１の移動量と右支持アーム５２の移動量とが異なるように制御する。
【００６７】
水平羽根６Ａが吹出口４を塞いだ状態から開放して、水平羽根６Ａを所望の状態にするには、室内制御部２１Ａは、まず、左支持アーム駆動部３６と右支持アーム駆動部３７により左支持アーム５１と右支持アーム５２を移動して水平羽根６Ａを迫出させる。それにより水平羽根６Ａによって塞がれていた吹出口４は開放されるが、このとき、回動機構駆動部３８は、水平羽根６Ａが平行移動するように追従して、回動アーム５０ａを回動させる。
【００６８】
次に、左支持アーム５１および右支持アーム５２を固定した状態にするとともに、回動機構駆動部３８により、回動アーム５０ａを回動させ、左支持アーム５１の連結部５１ａと右支持アーム５２の連結部５２ａとを結ぶ軸の周りで水平羽根６Ａを回動させる。以上のような平行移動と回動移動の２ステップの操作で水平羽根６Ａを所望の状態に移動することができる。
【００６９】
なお、上述のような２ステップの操作を並行して行わせ、平行移動させつつ回動移動をさせることにより１ステップで水平羽根６Ａを所望の状態に移動させるように、室内制御部２１Ａが制御することもできる。
【００７０】
＜風向装置の動作＞
第２実施形態に係る風向装置の動作において、水平羽根６Ａが水平な状態で、吹出口４から調和空気を吹き出させる場合は、上述の第１実施形態と同様に、次の４つの動作を行わせることができる。すなわち、水平羽根６Ａで吹出口４を塞いだ状態での左右吹き、あるいは水平羽根６Ａが水平状態であるときの冷房運転時の吹出し、暖房運転時の吹出し、および無感気流モード時の吹出しについては、第２実施形態の風向装置も第１実施形態の風向装置と同じである。
【００７１】
（無感気流モード時の吹出し）
無感気流モード時に水平羽根を傾けたときの正面状態が図１８に示されており、斜め右か方から見た状態が図１９に示されている。図１８および図１９に示されているのは、左支持アーム５１を右支持アーム５２よりも長く延ばすことにより水平羽根６Ａの左側が下がった状態である。また、無感気流モード時であるから、水平羽根６Ａの先端部６Ａｄが後端部６Ａｅよりもやや上がり、水平羽根６Ａの上面が吹出口４に対向する状態になっている。つまり、無感気流モードでの水平羽根６Ａの姿勢は、左支持アーム５１および右支持アーム５２を同じ長さに延ばしているときには、水平羽根６Ａが吹出口４を閉じている姿勢に対して概ね平行であり、左支持アーム５１を長く延ばすことによりその状態からさらに左側が下がった状態になる。
【００７２】
このように水平羽根６Ａの左側が下がった状態で、垂直羽根９をケーシング本体２の長手方向に対して左に傾けると、水平羽根６Ａの左端の左側スリット１３に、吹出口４から吹き出された調和空気を案内することができる。このとき水平羽根６Ａが左に傾いているため、左側へ誘導し易くなる。また、水平羽根６Ａが左に傾いているため、左側スリット１３の左横吹誘導板１５の角度がさらに下向きに傾くことになるので、ケーシング本体２の左側面１ｂにさらに近いゾーンに調和空気を流すことができる。
【００７３】
一方、水平羽根６Ａの左側が下がった状態で、垂直羽根９をケーシング本体２の長手方向に対して右に傾けると、水平羽根６Ａの右端の右側スリット１４に、吹出口４から吹き出された調和空気を案内することができる。このとき水平羽根６Ａが左に傾いているため、右側へ誘導されるときに水平羽根６Ａに沿って戻る方向になることから調和空気の気流がさらに弱まるので、調和空気の弱い気流の制御が行い易くなる。また、水平羽根６Ａが左に傾いているため、右側スリット１４の右横吹誘導板１６が下向きに傾く角度が小さくなるので、ケーシング本体２の右側面１ｃから遠いゾーンに調和空気を流し易くなる。
【００７４】
なお、冷房運転時においても、水平羽根６Ａを傾けることにより、無感気流モード時の吹出しと同じように、左右方向への気流の流れのバリエーションを加えることができる。冷房運転時における水平羽根６Ａについては、無感気流モード時の水平羽根６Ａの位置よりもさらに先端部６Ａｄが下がるが、外観は似ているので図示は省略する。水平羽根６Ａが傾いている方に吹き出すように垂直羽根９を傾けると、速い気流を吹き出し易くなる。また、左横吹誘導板１５または右横吹誘導板１６の角度が水平羽根６Ａが傾くことによって変化させられるため、左右の吹出し方向を微細に調整できる。一方、水平羽根６Ａが傾いている方とは逆の向きに吹出すように垂直羽根９を傾けると、遅い気流を吹出し易くなる。
【００７５】
（暖房運転時の吹出し）
暖房運転時に水平羽根を傾けたときの正面状態が図２０に示されており、斜め右か方から見た状態が図２１に示されている。図２０および図２１に示されているのは、左支持アーム５１を右支持アーム５２よりも長く延ばすことにより水平羽根６Ａの左側が下がった状態である。また、暖房運転時であるから、水平羽根６Ａの先端部６Ａｄが後端部６Ａｅよりも下がり、水平羽根６Ａの上面が垂直の状態よりも後端部６Ａｅが前方へ出て、上面がやや下方を向いた状態になっている。
【００７６】
このように水平羽根６Ａの左側が下がった状態で、垂直羽根９をケーシング本体２の長手方向に対して左に傾けると、水平羽根６Ａの左端の左側スリット１３に、吹出口４から吹き出された調和空気を案内することができる。このとき水平羽根６Ａが左に傾いているため、水平羽根６Ａが水平のときよりも左側へ強く吹き出すことができる。また、水平羽根６Ａが左に傾いているため、左側スリット１３の左横吹誘導板１５の角度によりケーシング本体２の左側前方に調和空気を流し易くなる。
【００７７】
一方、水平羽根６Ａの左側が下がった状態で、垂直羽根９をケーシング本体２の長手方向に対して右に傾けると、水平羽根６Ａの右端の右側スリット１４に、吹出口４から吹き出された調和空気を案内することができる。このとき水平羽根６Ａが左に傾いているため、右側へ誘導されるときに水平羽根６Ａに調和空気が当たって気流がさらに弱まるので、調和空気の弱い気流の形成が容易になる。また、水平羽根６Ａが左に傾いているため、右側スリット１４の右横吹誘導板１６が下向きに傾く角度が小さくなるので、ケーシング本体２の右側面１ｃから遠いゾーンに調和空気を流し易くなる。
【００７８】
＜変形例＞
（１）上記第１実施形態および第２実施形態においては、水平羽根６，６Ａに左側スリット１３および右側スリット１４が形成されている場合について説明したが、図２２に示すようなスリットがない水平羽根６Ｂを用いることもできる。図２２（ａ）には水平羽根の正面図が示され、図２２（ｂ）には水平羽根の底面図が示されている。水平羽根６Ｂも、上述の水平羽根６，６Ａと同様に、本体部６Ｂａ、左側面部６Ｂｂおよび右側面部６Ｂｃを備えている。図２３には、右側面部６Ｂｃの内側を拡大した図を示しており、上面６Ｂｉよりも側端部６Ｂｇが高くなっている。このように、水平羽根６Ｂの右側面部６Ｂｃにおいて右側端部６Ｂｇを高く形成し易くなり、この点については左側面部６Ｂｂにおいても同様である。
【００７９】
上面６Ｂｉより高く形成された左側面部６Ｂｂおよび右側面部６Ｂｃが左右方向への調和空気の流れを規制することのより、例えば垂直羽根９が真直ぐ前方に向いている場合には水平羽根６Ｂの前方に流れる調和空気の気流を形成し易くなる。一方、垂直羽根９を左右方向へ傾けて調和空気を左右方向へ誘導するときには、水平よりもやや上方へ向く調和空気の気流を発生させることができる。
【００８０】
また、第２実施形態による風向装置に水平羽根６Ｂを組み合わせたときには、第２実施形態と同様に、水平羽根６Ｂを左右のいずれかに傾けることにより、垂直羽根９による調和空気の左右方向への気流の強さを微調整することができる。また、左側に流れる調和空気に対しては左側面部６Ｂｂにより水平よりもやや上方へ案内される調和空気の気流の角度を水平羽根６Ｂの傾きによって調整することができる。同様に、右側に流れる調和空気に対しては右側面部６Ｂｃにより水平よりもやや上方へ案内される調和空気の気流の角度を水平羽根６Ｂの傾きによって調整することができる。
【００８１】
（２）上記第１実施形態および第２実施形態並びに上記変形例（１）においては、左側面部６ｂ，６Ａｂ，６Ｂｂおよび右側面部６ｃ，６Ａｃ，６Ｂｃは、左側スリット１３および右側スリット１４が形成されている場合、あるいは形成されていない場合について説明した。つまり、水平羽根６，６Ａ，６Ｂは、左側面部６ｂ，６Ａｂ，６Ｂｂおよび右側面部６ｃ，６Ａｃ，６Ｂｃの状態が固定されており、途中で変更されることはなかった。
【００８２】
しかし、左側スリット１３および右側スリット１４にスライドするシャッターを設けて、手動により開閉を行うようにして、上記第１実施形態および第２実施形態と変形例（１）の状態を切り換えるように構成することもできる。また、手動ではなく、自動的に、左側スリット１３および右側スリット１４の開閉を行わせるようにすることもできる。
【００８３】
さらには、左側スリット１３および右側スリット１４の開口の大きさをシャッターにより調整するように構成してもよい。それにより、室内の状態や環境に応じてさらに細やかな空気調和を行わせることができる。
【００８４】
（３）上記第１実施形態および第２実施形態並びに上記変形例（１）および変形例（２）において、図５に示すように、吹出口４の左側の開口部１２ｂおよび右側の開口部１２ｃは、単に開口が形成されているだけで気流を案内する部材が配置されていない場合について説明した。
【００８５】
しかし、吹出口４に続く吹出通路８に図２４に示すガイドを設けることもできる。図２４（ａ）および図２４（ｂ）はいずれも室内機１Ｂを右下側から見た状態を示す斜視図である。図２４（ｂ）よりも図２４（ａ）の方がさらに右側に移動した位置から見上げている。右側の開口部１２ｃに設けられているガイド６０は、水平に配置された略板状の部材であり、吹出口４の長手方向（水平羽根６，６Ａ，６Ｂの長手方向）に調和空気を案内する。そのため、ガイド６０の上方にあるケーシング本体２との間にスリット状の隙間６１が形成されている。なお、図２４（ａ）および図２４（ｂ）には右側のガイド６０しか示されていないが、左側には右側と対称に左側に吹き出すためのガイドが設けられる。左側のガイドについては右側のガイド６０と同じ機能であることから、以下の説明では左側のガイドの説明を省く。
【００８６】
第１実施形態や第２実施形態の水平羽根６，６Ａのように、右側スリット１４が形成されている場合には、垂直羽根９を傾けて右に調和空気を吹き出させることによって、水平羽根６，６Ａを閉じた状態でガイド６０から右側スリット１４に調和空気が案内される。そのため、ガイド６０と右側スリット１４との協働によって右方向への調和空気の吹き出しが容易になる。
【００８７】
水平羽根６，６Ａによってガイド６０の隙間６１が塞がれないところまで、右側スリット１４がある水平羽根６，６Ａを少し開放した場合には、ガイド６０の隙間６１から水平に右側に調和空気を吹き出させると同時に、右側スリット１４からも右方向に調和空気を吹き出させることができる。そのため、より多くの調和空気をガイド６０と水平羽根６，６Ａとの協働により右方向に吹き出させることができる。
【００８８】
また、上記変形例（１）の場合には、水平羽根６Ｂによってガイド６０の隙間６１が塞がれないところまで水平羽根６Ｂを少し開放した場合には、ガイド６０の隙間６１から水平に右側に調和空気を吹き出させることができる。そのため、水平羽根６Ｂの右側面部６Ｂｃがあるにも拘らず、調和空気をガイド６０により右方向に強く吹き出させることができる。なお、上記変形例（２）でも説明したように、スリットを設けた場合と設けない場合の両方の機能を持たせるためスリットを開閉可能に構成することもでき、またその開閉の程度を切り換えることもできる。
【００８９】
また、上記第２実施形態の風向装置を用いて、水平羽根６Ｂを傾けることができる。この場合に、傾けることによって、例えば、左側面部６Ｂｂで左のガイドを覆うことによって、右側のガイド６０から強く、あるいは右側のガイド６０からのみ吹き出させることができる。また、例えば、上記第２実施形態の風向装置の水平羽根６Ａとガイド６０とを組み合わせることで、右方向への調和空気の気流のバリエーションをさらに増やすことができる。
【００９０】
（４）上記第１実施形態および第２実施形態並びに上記変形例（１）および変形例（２）において、図５に示すように、吹出口４の左側の開口部１２ｂおよび右側の開口部１２ｃは、化粧パネル５の左側面１ｂおよび右側面１ｃを切り欠くほどの大きな開口は形成されていない。そのため、化粧パネル５の意匠がすっきりと洗練され、室内機１，１Ａとして美しい外観を呈している。しかし、室内機１，１Ａの外観を犠牲にすることになるが、図２５に示す水平羽根６Ｃのように右側面部６Ｃｃおよび左側面部（図示省略）を大きくして、左右の開口を大きくすることもできる。図２５（ａ）は水平羽根６Ｃを閉じた状態を示し、図２５（ｂ）は水平羽根６Ｃを開いた状態を示している。図２５に示す室内機１Ｃの右側面１ｃは一部切り欠かれており、吹出口４を構成する右側の開口部１２ｃが大きくなっている。図２５には記載されていないが、水平羽根６Ｃは、第１実施形態や第２実施形態と同様に、本体部および左側面部を備える。
【００９１】
＜特徴＞
（ａ）
室内機１，１Ａ，１Ｂ，１Ｃに設けられる水平羽根６，６Ａ，６Ｂ，６Ｃは、吹出口４の開閉を行うとともに、吹出口４から吹き出される調和空気の風向きを上下に変更することができる。この水平羽根６，６Ａ，６Ｂ，６Ｃが開閉する吹出口４は、室内機１，１Ａ，１Ｂ，１Ｃの左側面１ｂの開口部１２ｂ（左側面開口部）と、右側面１ｃ，１ｃの開口部１２ｃ（右側面開口部）と、これら開口部１２ｂ，１２ｃの間にある開口部１２ａ（前方開口部）とからなる。上記実施形態では、これら３つの開口部１２ａ，１２ｂ，１２ｃが繋がって一体的に開口している場合について説明しているが、こられ開口部１２ａ，１２ｂ，１２ｃは、例えば桟などによって分離されていてもよい。その場合には、桟などの開口部１２ａ，１２ｂ，１２ｃを分離する部材が、閉じられた水平羽根６，６Ａ，６Ｂ，６Ｃにより開口部１２ａ，１２ｂ，１２ｃとともに覆われるように構成することがすっきりした美しい外観を構成するためには好ましい。このような桟などで化粧パネル５を繋ぐ場合には、桟などによって化粧パネル５の強度を向上させることができ、化粧パネル５の振動による騒音の発生などの不具合を防止することができる。また、図２５には右側面１ｃを切り欠くほどに大きな開口部１２ｃが示されているが、左右の開口部１２ｂ，１２ｃは、必ずしも室内機の側面を切り欠いて形成する必要はない。上述の第１実施形態および第２実施形態では、底面１ｅ，１ｅを窪ませることにより形成している。
【００９２】
水平羽根６，６Ａ，６Ｂ，６Ｃは、本体部６ａ，６Ａａ，６Ｂａ、左側面部６ｂ、６Ａｂ，６Ｂｂおよび右側面部６ｃ，６Ａｃ，６Ｂｃ，６Ｃｃを有している。吹出口４の閉止時に、本体部６ａ，６Ａａ，６Ｂａが開口部１２ａを覆い、左側面部６ｂ、６Ａｂ，６Ｂｂが開口部１２ｂを覆い、そして右側面部６ｃ，６Ａｃ，６Ｂｃ，６Ｃｃが開口部１２ｃを覆う。上下方向の風向の変更には、専ら本体部６ａ，６Ａａ，６Ｂａが用いられる。水平羽根６，６Ａ，６Ｂ，６Ｃの本体部６ａ，６Ａａ，６Ｂａに調和空気が当たったときに、本体部６ａ，６Ａａ，６Ｂａの左右方向には左側面部６ｂ、６Ａｂ，６Ｂｂおよび右側面部６ｃ，６Ａｃ，６Ｂｃ，６Ｃｃがあるため、左右方向の気流の流れが生じ難く、前後方向に誘導し易くなる。垂直羽根９により左右方向への調和空気の気流調節が可能である一方、左側面部６ｂ、６Ａｂ，６Ｂｂおよび右側面部６ｃ，６Ａｃ，６Ｂｃ，６Ｃｃにより前方への吹出しが容易で、室内の状況や環境状態に適した気流を生じさせ易くなり、快適な空気調和が実現し易くなる。
【００９３】
このような水平羽根６，６Ａ，６Ｂ，６Ｃにおいて、本体部６ａ，６Ａａ，６Ｂａの上面６ｉ，６Ａｉ，６Ｂｉは、フラット（平坦）であって、これら上面６ｉ，６Ａｉ，６Ｂｉが水平になる姿勢を取りうる。そのため、左側面部６ｂ、６Ａｂ，６Ｂｂおよび右側面部６ｃ，６Ａｃ，６Ｂｃ，６Ｃｃが左右にある本体部６ａ，６Ａａ，６Ｂａに水平な姿勢を取らせることで、冷房運転時などに、吹出口４から斜め下方に吹き出される調和空気の気流を水平な方向に変更して、調和空気を比較的遠くまで届かせことができ、部屋全体の空気調和が容易になる。
【００９４】
これら水平羽根６，６Ａ，６Ｂ，６Ｃのうちの水平羽根６，６Ａ，６Ｃは、左側面部６ｂ、６Ａｂ，６Ｂｂに左側スリット１３が形成され、右側面部６ｃ，６Ａｃ，６Ｂｃ，６Ｃｃに右側スリット１４が形成されている。左側面部６ｂ、６Ａｂ，６Ｂｂおよび右側面部６ｃ，６Ａｃ，６Ｂｃ，６Ｃｃがあるため左右方向には調和空気は移動し難いが、垂直羽根９で左右方向の流れを強制的に作り出すことによって、左側スリット１３および右側スリット１４を通して左右方向に調和空気を誘導できる。このように、左側面部６ｂ、６Ａｂ，６Ｂｂおよび右側面部６ｃ，６Ａｃ，６Ｂｃ，６Ｃｃがあるにも拘らず、左側スリット１３および右側スリット１４があることにより水平羽根６，６Ａ，６Ｃは左右方向への調和空気の流れをつくり易くなっている。左側スリットおよび右側スリットによって左右方向への調和空気の流れをつくり易くなるので、室内機が取り付けられている壁に沿った領域の空気調和を行い易くなる。
【００９５】
上述の水平羽根６，６Ａ，６Ｃが制御部２０，２０Ａにより制御されており、制御部２０，２０Ａは、水平羽根６，６Ａ，６Ｃによって吹出口４を塞ぐことができる。そして、水平羽根６，６Ａ，６Ｃが吹出口４を塞いだ状態で、制御部２０，２０Ａはクロスフローファン用モータ３３を駆動させることができる。クロスフローファン用モータ３３が駆動したとき、左側スリット１３および右側スリット１４以外の部分は塞がっているので、左側スリット１３および右側スリット１４からだけ調和空気を吹き出させることができる。しかも他の部分が塞がっているため吹き出される調和空気が左側スリット１３および右側スリット１４に集中するので強く吹き出させることも可能である。
【００９６】
（ｂ）
室内機１，１Ａ，１Ｂ，１Ｃにおいて、水平羽根６，６Ａ，６Ｂ，６Ｃが吹出口４を覆っているけれども水平羽根６，６Ａ，６Ｂ，６Ｃが吹出口４を塞いでいない状態をつくり出すこともできる。つまり、水平羽根６，６Ａ，６Ｂ，６Ｃの周囲と吹出口４との周囲の間に隙間があるような状態である。このような状態でも、隙間を狭くすれば塞いだときに近い状態をつくり出すことができる。隙間がある場合には、隙間からも調和空気を吹き出させることができ、左右方向だけでなく、例えば前方に向かう調和空気の気流も同時につくり出せる。吹出口４の周囲と水平羽根６，６Ａ，６ｂ，６Ｃとの距離の調節が多様化するので、風向や風速などの制御のバリエーションを増やす効果がある。このように水平羽根６，６Ａ，６Ｂ，６Ｃの周囲と吹出口４との周囲の間に隙間があるような状態をつくり出すことは、水平羽根６，６Ａ，６Ｂ，６Ｃを迫出させることによって行える。そのためには、上記第１実施形態および第２実施形態で説明した迫出し機構のような機構が必要になる。
【００９７】
迫出し機構は、図１４および図１５を用いて説明したアーム４０，４１，４２や左支持アーム５１、右支持アーム５２および回動機構によって、前後左右の４方向に調和空気を導くことができる状態に本体部６ａ，６Ａａ，６Ｂａ、左側面部６ｂ、６Ａｂ，６Ｂｂおよび右側面部６ｃ，６Ａｃ，６Ｂｃ，６Ｃｃを迫出させ得る。前方と後方に同じだけ調和空気を吹き出させることはしないが、前後左右の４方向に調和空気を導くことができる状態に迫出し機構によって調整可能であるから、その状態から少し前方に調和空気が流れ易い状態をつくってやる角度に水平羽根６，６Ａ，６Ｂ，６Ｃを調整するのは簡単である。水平羽根６を例に取ると図１４および図１５のように先端部６ｄを少し下に傾けるなど微調整をすることにより、調和空気が周囲に分散する状態に近い状態を作り出すと、調和空気の流れを人が感じ難い静粛性の高い状態で空気調和を行うことができる。リモートコントローラなどによって設定された所望の空気調和状態に近い状態になった状況において、静粛性の高い状態で空気調和を行うことができ、空気調和の快適性を向上させることができる。
【００９８】
第２実施形態に係る室内機１Ａについて図１６乃至図２１を用いて説明したように、第２実施形態の迫出し機構は、本体部６Ａａを左または右に傾けることができる。垂直羽根９で左または右あるいは左右双方に調和空気を強く吹き出させるのに加え、本体部６Ａａの傾きにより調和空気が本体部６Ａａから受ける反作用の方向が決まるため、垂直羽根９と同じ方向に本体部６Ａａを傾けるときには、吹き出される力が強まる。逆に、垂直羽根９によって決まる吹き出し方向と逆に本体部６Ａａを傾けると、調和空気が吹き出される力が弱まる。例えば垂直羽根９により右に向けて調和空気が吹き出されるときに本体部６Ａａを左が低くなるように左に傾けると、右に向けて吹き出される調和空気の気流が弱くなる。このように、本体部６Ａａを傾けられるように構成することで、左右へ吹き出す調和空気の気流の微調整ができ、気流のバリエーションを増やすことができるから、室内の状況に合わせた空気調和を行い易くなる。
【００９９】
（ｃ）
図２４に示した右側のガイド６０および図示を省略した左側のガイドによって、水平羽根６，６Ａ，６Ｂ，６Ｃの左右方向に調和空気を導くことができる。これら右側のガイド６０および左側のガイドは、水平羽根６，６Ａ，６Ｂ，６Ｃが閉じたときに塞がれる吹出通路８内（水平羽根に覆われる空間）にあるため、運転停止時などにおいては外観に表れないことから、洗練された外観を得るための設計をし易くしている。
【０１００】
そして、水平羽根６，６Ａ，６Ｃにあっては、右側のガイド６０および左側のガイドとの協働によって、右側のガイド６０および左側のガイドが設け入られていない場合とは異なり、調和空気の左右方向への吹き出しを効率よく行わせることができる。水平羽根６，６Ａ，６Ｃが閉じているときには、右側のガイド６０から右側スリット１４に案内する調和空気の流路を形成でき、左側のガイドから左側スリット１３に案内する調和空気の流路を形成できる。水平羽根６，６Ａ，６Ｂ，６Ｃを開放したときには、水平羽根６，６Ａ，６Ｂ，６Ｃに案内されて左右方向に導かれる調和空気の気流とともに、右側のガイド６０および左側のガイドによって形成される気流によって左右に調和空気が吹き出される。それにより、右側のガイド６０および左側のガイドが設け入られていない場合に比べ、調和空気の左右方向への吹き出しが行い易くなる。
【符号の説明】
【０１０１】
１，１Ａ，１Ｂ，１Ｃ  室内機
４  吹出口
６，６Ａ，６Ｂ，６Ｃ  水平羽根
６ａ、６Ａａ，６Ｂａ  本体部
６ｂ，６Ａｂ，６Ｂｂ  左側面部
６ｃ、６Ａｃ，６Ｂｃ，６Ｃｃ  右側面部
１３  右側スリット
１４  左側スリット
２０，２０Ａ  制御部
３１，３１Ａ  迫出し機構
６０  ガイド
【先行技術文献】
【特許文献】
【０１０２】
【特許文献１】特開２００６−２９８４号公報
【図１】
0005487775.tif 000002
【図２】
0005487775.tif 000003
【図３】
0005487775.tif 000004
【図４】
0005487775.tif 000005
【図５】
0005487775.tif 000006
【図６】
0005487775.tif 000007
【図７】
0005487775.tif 000008
【図８】
0005487775.tif 000009
【図９】
0005487775.tif 000010
【図１０】
0005487775.tif 000011
【図１１】
0005487775.tif 000012
【図１２】
0005487775.tif 000013
【図１３】
0005487775.tif 000014
【図１４】
0005487775.tif 000015
【図１５】
0005487775.tif 000016
【図１６】
0005487775.tif 000017
【図１７】
0005487775.tif 000018
【図１８】
0005487775.tif 000019
【図１９】
0005487775.tif 000020
【図２０】
0005487775.tif 000021
【図２１】
0005487775.tif 000022
【図２２】
0005487775.tif 000023
【図２３】
0005487775.tif 000024
【図２４】
0005487775.tif 000025
【図２５】
0005487775.tif 000026